(57)【要約】【課題】バギー・ベビーカーと歩行器を別々に購入し使い分けることは、介護者にとって持ち運びや、児童を双方へ移乗するのに手間を要している。また，使用する児童が自分の足で歩きたい時でも，介護者の都合などによりすぐに歩行器へ移乗することができず、周囲の物事に対する好奇心が少なくなる可能性がある。このような介護者の負担の軽減や児童の歩行能力の促進と共に、好奇心を促進する手段を提供する。【解決手段】利用者が着座するための座面を備えており、着座時の利用者の身体を支える背当てを備えており、バギーやベビーカーとして利用可能であり、座面が移動或いは変形して収納されことが可能であり、座面が収納されているときは歩行器として利用可能であるように構成された本発明におけるバギー兼用歩行器を提供する。【選択図】          図１
2004337321.tif 000002
【特許請求の範囲】
【請求項１】
利用者が着座するための座面を備えており、着座時の利用者の身体を支える背当てと腰ベルトを備えており、座面が背当ての背面から座るのに適した高さまで移動可能とされており、座面が座るのに適した高さに位置するときはバギーとして利用可能であり、座面が背当ての背面に位置するときは歩行器として利用可能であるように構成されたバギー兼用歩行器。
【請求項２】
背当てはジョイント部で腰ベルトに対して上下方向に移動可能であり、利用者が着座の時に背当ては利用者の頭部全体まで支える高さにあり、利用者が歩行器として利用する時に背当ては背後から見て利用者の頭部全体が見える高さにあるように構成された請求項１に記載されたバギー兼用歩行器。
【請求項３】
背当てはジョイント部で腰ベルトに対して横方向に固定されており、利用者が着座のときは背当てと腰ベルトは利用者が楽な姿勢をとれる角度になり、利用者が歩行器として利用するときは背当てと腰ベルトは利用者が歩きやすい角度になるように構成された請求項２に記載されたバギー兼用歩行器。
【請求項４】
利用者が着座のときは身体が座面から落ちるのを防ぎ歩行器として利用するときは股下で身体全体を支える股下ベルトが座面に内装されており、この股下ベルトは利用者の腹部付近から背後にいくにつれて段階的に太くなっていく形状をしており、利用者が着座のときは最も細い部分と中間と太さの部分が座面から出て固定されており、利用者が歩行器としてりようするときは最も太い部分まで座面から出て固定されているように構成された請求項３に記載のバギー兼用歩行器。
【請求項５】
利用者が着座するための座面と背当てを備えており、この座面は両端に二つの可動座面と中央に一つの股下支え座面によって作られており、この両端二つの可動座面は背当ての背面に収納可能であり、利用者が歩行状態にある時中央の股下支え座面によって利用者の身体を支えるように構成したバギー兼用歩行器。
【発明の詳細な説明】
【０００１】
【発明の属する技術分野】
本発明は、例えばバギーやベビーカーとしても歩行器としても利用され得る障害児用バギー兼用歩行器に関するものである。
【０００２】
【従来の技術】
運動機能に障害をもった児童で、歩行に不自由のある者は、移動時にバギーを使用することがある。また、健常な児童の中でも、まだ歩行能力の発達段階にある幼児は、移動時にベビーカーを使用することある。移動時には利用者はバギーやベビーカーに着座し、介護者が押して移動をする。
【０００３】
一方、運動機能に障害をもった児童の中でも何らかの支えがあれば歩行が可のうでる児童或いは歩行能力の発達段階にある幼児は、歩行能力の促進のためや自らの意志で選択した歩行を行う事による好奇心の促進をはかるため、歩行器を使用することがある。
【０００４】
【発明が解決しようとする課題】
このような、バギーやベビーカーも歩行器も利用する障害児や幼児の海底では、バギーやベビーカーとともに歩行器を用意する必要がある。また目的地までの移動としてはバギーやベビーカーを使用し、目的地に着いてから歩行器などを使用して歩行を行うなど、介護者にとって持ち運びが困難である。また、使用する児童が自分の足で歩きたい時でも、介護者の都合などによりすぐに歩行器を使用することができず、介護者も児童が要求する度に児童を乗せ変えなければならないという手間がかかっていた。
【０００５】
本発明はこのような問題に鑑み開発したものであり、１台でバギー或いはベビーカーとしても利用でき、また、歩行器としても利用できるバギー兼用歩行器の提供をその目的とするものである。
【０００６】
【課題を解決するための手段】
上記の目的を達成するためになされた発明は、利用者が着座するための座面を備えており、着座時の利用者の身体を支える背当てと腰ベルトを備えており、座面が背当ての背面から座るのに適した高さまで円周方向に移動可能とされており、座面が座るのに適した高さに位置するときはバギーとして利用可能であり、座面が背当ての背面に位置するときは歩行器として利用可能出るように構成されたバギー兼用歩行器、である。
【０００７】
好ましくは、バギー兼用歩行器は足置きをさらに備える。足置きは土台フレームに設けられ、着座の際に利用者の足首が自然な状態で置くことが可能であり、安定した体勢を保つことができる。
【０００８】
【実施例】
以下、適宜図面が参照されつつ、本発明の実施例が説明される。
【０００９】
図１は本発明の第一実施例にかかるバギー兼用歩行器の可動部ａの概略斜視図である。この可動部可動部１は背当てａ１１と腰ベルト１２、座面ａ１３と股下ベルト１４、そしてジョイント１５からなる。休憩・移動時に背当てａ１１と腰ベルト１２と座面ａ１３によって利用者の身体を支え、股下ベルトは利用者の体が座面から落ちるのを防ぎ、着座することができる。このとき背当てａ１１はジョイントで腰ベルト１２に対して上下方向に移動可能になっており、利用者の頭全体を支える高さにまで背当てを上げる事ができる。また、背当てａ１１と腰ベルト１２はジョイント１５で左右方向に固定されており、利用者が楽な姿勢になることができるように、傾かせることができる。
【００１０】
図２は利用者が歩行状態にある時の可動部ａの概略斜視図である。  利用者が着座していた状態から歩行に移行する際に座面１３が、レールなどに沿って背面に収納され、背当てａ１１と腰ベルト１２で利用者の姿勢を保持し、股下ベルトにより利用者の身体全体を支えることによって歩くことができる。
【００１１】
このとき背当てａ１１はジョイント１５で腰ベルト１２に対して上下方向に移動可能になっており、背後から見て利用者の頭全体が見える高さにまで背当てを下げる事ができる。また、背当て１１と腰ベルト１２はジョイントで左右方向に固定されており、利用者が楽な姿勢で歩くことができるように、傾かせることができる。
【００１２】
図３は股下ベルト１４の形状を示す概略正面図である。この股下ベルト１４は座面の前方に内臓されており、利用者が着座している際には最も細い部分と中くらいの太さの部分まで座面から出て固定され、利用者が座面からずり落ちないようにする。また利用者が歩行状態にある際には最も太い部分まで出て固定され、利用者の股下から身体全体を支えることによって、歩行に関する利用者の足への負担を軽減することが可能となる。
【００１３】
図４は可動部ａ１における土台フレームの設置例を示す概略斜視図である。例えば、図のような円形の土台フレームに設置することが可能である。この円形フレームは第一フレーム２１と第二フレーム２２と第３フレーム３が４つの支柱によって支えられている。
【００１４】
第一フレームに腰ベルト１２を軸１６で設置し、腰ベルトは軸の演習方向に回転可能である。また第一フレームには身体の支えとなるように利用者の前側に透明或いは半透明のテーブル１７を備えることが可能である。第一フレームから第二フレームにかけてレール２０が渡してあり、これにそって座面１３は移動可能となっている。第三フレームにはキャスタ１９が設けられており、キャスタ１９の数は移動における方向転換のし易さを考えて４個から６個設けられ、バギー兼用歩行器全体の重心位置を考慮して配置されることによって、可動部ａ１の重量に対応されることが理想である。
【００１５】
図５は図４で示した可動部ａ１における土台フレームの設置例を示す概略斜視図の正面図である。図４乃至図５では省略されているが、このバギー兼用歩行器には足置き、介護用の押し手、介助用ブレーキ、駐車ブレーキ等を備えている。もちろん、このバギー兼用歩行器がこれらの部材全てを備える必要はなく、用途等に応じて部材が省略されてもよい。また、必要に応じて、他の部材が追加されてもよい。
【００１６】
一方、図６は第２実施例の可動部ｂ３を示す概略斜視図である。可動部ｂは背当てｂ３１と股下支え座面３２、可動座面３３からなり、股下支え座面３２と可動座面３３は軸ｂ３４が挿通しており軸方向に固定されている。そして尚且つ股下支え座面３２と可動座面３３は利用者が着座する際には座面として座ることができるように揃った状態にあり、回転軸或いは股下支え部分３２と可動座面３３相互のロックにより固定される。
【００１７】
図７は可動部ｂの回転座面の動作過程を示す概略斜視図である。また図８は可動部ｂにおける回転座面が収納された状態を示す概略斜視図である。使用者が着座している状態から歩行時に移行する際には、座ることの出来るように固定されていた股下支え座面３２と可動座面３３のロックは解除され、股下支え座面３２はそのままの位置で固定されて利用者の股下から身体を支え、可動座面３３が下方向に回転し背当ての後に収納され、歩行することができる。そして、使用者が歩行を止め、休憩・移動に移行する際には、背面に収納されていた可動座面３３が回転して使用者の大腿部をゆっくりと押し上げ、股下支え座面３２と揃った状態で固定され、座面としてすわることができる。
【００１８】
利用者が着座している際における背当て３１は、使用者が楽な姿勢を維持できる角度まで傾かせることができ、歩行時には使用者が歩行し易い角度まで傾きをもどすことができる。
【００１９】
可動部ｂも前述の第一実施例のように、土台フレームに設置することにより、一台でバギーやベビーカーとして着座して移動することができ、歩行器として身体の支えとなって歩行することが可能であるバギー兼用歩行器となる。
【００２０】
【考案の効果】
この考案は以上の構成からなるもので、運動機能に障害を持った障害児で特に何らかの支えがあれば歩行可能である、或いはその可能性のある障害児や歩行能力の発達段階にある幼児が、バギー或いはベビーカーと歩行器の両方それぞれを使い分けるよりも、一体化した本発明を使用する事により、より一層自らの意志によって歩行状態と着座、すなわち休憩・移動状態を決定、又は介護者に要求することが出来、利用者の好奇心や歩行能力をより促進させることが可能となり、介護者がバギーから歩行器、歩行器からバギーへと児童を移乗させる手間を軽減することも可能となる。
【００２１】
また、バギー或いはベビーカーと歩行器を一体化させた本発明によるバギー兼用歩行器を、介護者が利用者に用意することにより目的地に移動しする際に移動機器として１台持って移動すればよいことが可能となる。
【図面の簡単な説明】
【図１】可動部ａの構成を示す概略斜視図である。
【図２】可動部ａの収納後の構成を示す概略斜視図である。
【図３】股下ベルトの形状を示す正面図である。
【図４】可動部ａを円形土台フレームに設置した場合の構成を示す概略斜視図である。
【図５】可動部ａを円形土台フレームに設置した場合の構成を示す概略正面図だある。
【図６】可動部ｂの構成を示す概略斜視図である。
【図７】可動部ｂの可動座面の動作過程を示す概略斜視図である。
【図８】可動部ｂにおける可動座面が収納された状態を示す概略斜視図である。
【符号の説明】
１  可動部ａ
１１  背当てａ
１２  腰ベルト
１３  座面ａ
１４  股下ベルト
１５  ジョイント
１６  軸
１７  テーブル
１８  支柱
１９  キャスタ
２０  レール
２  円形土台フレーム
２１  第一フレーム
２２  第二フレーム
２３  第三フレーム
３  可動部ｂ
３１  背当てｂ
３２  股下支え座面
３３  可動座面
３４  軸ｂ
【図１】
2004337321.tif 000003
【図２】
2004337321.tif 000004
【図３】
2004337321.tif 000005
【図４】
2004337321.tif 000006
【図５】
2004337321.tif 000007
【図６】
2004337321.tif 000008
【図７】
2004337321.tif 000009
【図８】
2004337321.tif 000010